(57)【要約】【課題】簡易な構成により締め込みすぎを抑制することができるボルトを提供すること。【解決手段】一方の端部１６ａにねじ部１６１を有する軸部材１６と、軸部材１６の他方の端部１６ｂ側を覆うように配置され、軸部材１６に対して相対回転可能に軸部材１６に連結される中空の筒状部１５と、筒状部１５の内部に配置され、軸部材１６に取り付けられるとともに、軸部材１６の外側に延びるように形成される板状の抵抗部１７と、筒状部１５の内部に充填されている粘性体１８と、を備える。【選択図】図５
2013015659.tif 000002
【特許請求の範囲】
【請求項１】
一方の端部にねじ部を有する軸部材と、
前記軸部材の他方の端部側を覆うように配置され、前記軸部材に対して相対回転可能に前記軸部材に連結される中空の筒状部と、
前記筒状部の内部に配置され、前記軸部材に取り付けられるとともに、前記軸部材の外側に延びるように形成される板状の抵抗部と、
前記筒状部の内部に充填されている粘性体と、を備えること、を特徴とするボルト。
【請求項２】
請求項１に記載のボルトであって、
前記抵抗部は、Ｌ字形状に形成され、該Ｌ字形状の曲がっている部分が該ボルトの締め込み方向とは反対方向側に突出していること、を特徴とするボルト。
【請求項３】
請求項１又は２に記載のボルトであって、
前記抵抗部は、前記軸部材に対して対称に一対設けられていること、を特徴とするボルト。
【請求項４】
レンズ鏡筒を周方向に沿って保持するとともに開閉可能なリング状部と、
締め込むことで前記リング状部を閉位置で保持する請求項１から３のいずれか１項に記載のボルトと、を備えるレンズ保持部材。
【発明の詳細な説明】
【技術分野】
【０００１】
ボルト及びこれを備えるレンズ保持部材に関する。
【背景技術】
【０００２】
従来より、レンズ保持部材は、レンズ鏡筒を保持した状態で三脚に取り付けられることにより、間接的にカメラを三脚に対して保持する。レンズ保持部材は、例えば、レンズ鏡筒を周方向に沿って保持するとともに開閉可能なリング状部と、手で締め込むことでリング状部の閉位置を保持するボルトと、を備える。
【０００３】
このようなレンズ保持部材においては、個人それぞれによってボルトを締め込む力が異なるため、想定以上の力でボルトが締め込まれてボルトを受ける側の部材が破損してしまうことや、強く締め込みすぎてボルトを外すことができないことがある。
【先行技術文献】
【特許文献】
【０００４】
【特許文献１】特開２００３−２６７４１９号公報
【発明の概要】
【発明が解決しようとする課題】
【０００５】
本発明の課題は、簡易な構成により締め込みすぎを抑制することができるボルト及びこれを備えるレンズ保持部材を提供することである。
【課題を解決するための手段】
【０００６】
本発明は、以下のような解決手段により前記課題を解決する。なお、理解を容易にするために、本発明の実施形態に対応する符号を付して説明するが、これに限定されるものではない。
【０００７】
請求項１に記載の発明は、一方の端部（１６ａ）にねじ部（１６１）を有する軸部材（１６）と、前記軸部材（１６）の他方の端部（１６ｂ）側を覆うように配置され、前記軸部材（１６）に対して相対回転可能に前記軸部材（１６）に連結される中空の筒状部（１５）と、前記筒状部（１５）の内部に配置され、前記軸部材（１６）に取り付けられるとともに、前記軸部材（１６）の外側に延びるように形成される板状の抵抗部（１７）と、前記筒状部（１５）の内部に充填されている粘性体（１８）と、を備えること、を特徴とするボルト（１４）である。
請求項２に記載の発明は、請求項１に記載のボルト（１４）であって、前記抵抗部（１７）は、Ｌ字形状に形成され、該Ｌ字形状の曲がっている部分が該ボルト（１４）の締め込み方向（Ａ）とは反対方向（Ｂ）側に突出していること、を特徴とするボルト（１４）である。
請求項３に記載の発明は、請求項１又は２に記載のボルト（１０）であって、前記抵抗部（１７）は、前記軸部材（１６）に対して対称に一対設けられていること、を特徴とするボルト（１０）である。
請求項４に記載の発明は、レンズ鏡筒（２）を周方向に沿って保持するとともに開閉可能なリング状部（１１）と、締め込むことで前記リング状部（１１）を閉位置で保持する請求項１から３のいずれか１項に記載のボルト（１４）と、を備えるレンズ保持部材（１０）である。
【発明の効果】
【０００８】
本発明によれば、簡易な構成により締め込みすぎを抑制することができるボルト及びこれを備えるレンズ保持部材を提供することができる。
【図面の簡単な説明】
【０００９】
【図１】本発明の一実施形態であるレンズ保持部材にレンズ鏡筒が保持された状態を示す斜視図である。
【図２】本発明の一実施形態であるレンズ保持部材を示す斜視図である。
【図３】リング固定ボルトを示す外観斜視図である。
【図４】レンズ保持部材のリング固定ボルトの構成を示す斜視図である。
【図５】リング固定ボルトの構成を示す図であって、（ａ）はリング固定ボルトの平面図であり、（ｂ）はリング固定ボルトの縦断面図である。
【図６】リング固定ボルトの作用を説明する図であって、（ａ）はリング固定ボルトの締め込み時における抵抗板部及び粘性体による抵抗力を説明する図であり、（ｂ）はリング固定ボルトの緩め時における抵抗板部及び粘性体による抵抗力を説明する図である。
【発明を実施するための形態】
【００１０】
以下、図面を参照して、本発明の一実施形態について説明する。図１は、本発明の一実施形態であるレンズ保持部材１０にレンズ鏡筒２が保持された状態を示す斜視図である。図２は、本発明の一実施形態であるレンズ保持部材１０を示す斜視図である。図３は、レンズ保持部材１０のリング固定ボルト１４を示す外観斜視図である。
【００１１】
図１に示すように、本実施形態のレンズ保持部材１０は、不図示の三脚と、レンズ鏡筒２と、の間に設けられる。レンズ鏡筒２は、不図示のカメラのカメラボディに着脱可能な交換レンズである。レンズ保持部材１０は、レンズ鏡筒２を保持した状態で三脚に取り付けられることにより、間接的にカメラを三脚に対して保持する。
【００１２】
図２及び図３に示すように、レンズ保持部材１０は、台座部１２と、リング状支持部１１と、円弧状支持部１３と、リング固定ボルト１４と、を備える。
台座部１２は、略矩形の板状に形成される。リング状支持部１１及び円弧状支持部１３は、台座部１２の一方側の面に配置されている。リング状支持部１１及び円弧状支持部１３それぞれは、台座部１２の両端部に所定距離離れて配置される。
【００１３】
台座部１２には、図２に示すように、リング状支持部１１と円弧状支持部１３との間の位置において、貫通する三脚取り付け穴１２１が形成されている。三脚取り付け穴１２１の内周面には、雌ねじが形成されている。三脚取り付け穴１２１の雌ねじには、不図示の雲台取り付け部材に設けられたねじ部の雄ねじを螺合することができる。
【００１４】
図１に示すように、リング状支持部１１は、レンズ鏡筒２におけるマウント側の端部近傍においてレンズ鏡筒２を保持する。リング状支持部１１は、円環状に形成され、周方向に沿ってレンズ鏡筒２を支持する。リング状支持部１１は、開閉可能に構成される。
リング状支持部１１は、閉状態において、レンズ鏡筒２に対して着脱可能である。リング状支持部１１は、閉状態において、レンズ鏡筒２を周方向に沿って支持可能とする。
【００１５】
図２に示すように、リング状支持部１１は、第１円弧部分１１５と、第２円弧部分１１６とを備える。第１円弧部分１１５及び第２円弧部分１１６それぞれは、リング状支持部１１の一方及び他方の半周部分を構成している。
【００１６】
第１円弧部分１１５の開閉側端部１１５ａは、台座部１２の一方側の面に固定されている。第１円弧部分１１５の連結部側端部１１５ｂは、連結支軸部１１１を介して第２円弧部分１１６の連結部側端部１１６ｂに連結されている。
【００１７】
第１円弧部分１１５の開閉側端部１１５ａの台座部１２側の端面には、不図示のねじ穴が形成されている。ねじ穴の内周面には、雌ねじが形成されている。
【００１８】
第２円弧部分１１６の連結部側端部１１６ｂは、連結支軸部１１１を介して第１円弧部分１１５の連結部側端部１１５ｂに連結されている。第２円弧部分１１６は、連結支軸部１１１を支点として、第１円弧部分１１５に対して回動する。第２円弧部分１１６は、第２円弧部分１１６の開閉側端部１１６ａが第１円弧部分１１５の開閉側端部１１５ａに当接又は近接する閉位置と、第２円弧部分１１６の開閉側端部１１６ａが第１円弧部分１１５の開閉側端部１１５ａから離間する開位置とに回動可能である。第２円弧部分１１６が閉位置に位置されることで、第１円弧部分１１５及び第２円弧部分１１６は、全体として円環状に形成される。
【００１９】
第２円弧部分１１６の開閉側端部１１６ａには、リング固定ボルト１４が貫通する貫通穴部１１２が形成されている。リング状支持部１１の閉位置においては、貫通穴部１１２は、第１円弧部分１１５のねじ穴（不図示）に重なるように位置する。
【００２０】
リング固定ボルト１４は、図３に示すように、頭部１５と、軸部材１６とを備える。
リング固定ボルト１４の軸部材１６のねじ部１６１の雄ねじは、リング固定ボルト１４が貫通穴部１１２に貫通した状態で、第１円弧部分１１５の開閉側端部１１５ａのねじ穴（不図示）の雌ねじに螺合可能である。
このようにして、リング固定ボルト１４は、第１円弧部分１１５と第２円弧部分１１６との閉状態を保持する。
リング固定ボルト１４の詳細については後述する。
【００２１】
図１に示すように、円弧状支持部１３は、レンズ鏡筒２におけるリング状支持部１１よりも中央側においてレンズ鏡筒２を支持する。円弧状支持部１３は、レンズ鏡筒２の外周面に下方側から当接して支持する円弧部分１３１を有している。
【００２２】
次に、リング固定ボルト１４について説明する。図４は、レンズ保持部材１０のリング固定ボルト１４の構成を示す斜視図である。図５は、リング固定ボルト１４の構成を示す図であって、（ａ）はリング固定ボルト１４の平面図であり、（ｂ）はリング固定ボルト１４の縦断面図である。
【００２３】
図４に示すように、リング固定ボルト１４は、頭部１５と、軸部材１６と、抵抗板部１７と、粘性体１８とを備える。
軸部材１６は、直線状に長く形成されている。軸部材１６の一方の端部１６ａには、ねじ部１６１が形成されている。軸部材１６のねじ部１６１の外周面には、雄ねじが形成されている。軸部材１６の他方の端部１６ｂ側には、抵抗板部１７が連結されている。
【００２４】
抵抗板部１７は、後述する頭部１５の内部に配置される。抵抗板部１７は、軸部材１６に取り付けられるとともに、軸部材１６の外側に延びるように形成されている。抵抗板部１７は、Ｌ字形状の一対のＬ字板部１７１、１７１から構成される。一対のＬ字板部１７１、１７１は、軸部材１６に対して対称に設けられている。
【００２５】
図５（ａ）に示すように、一対のＬ字板部１７１、１７１それぞれは、第１板状部１７２と、第２板状部１７３とを有している。
第１板状部１７２は、一端が軸部材１６の軸方向に沿うようにして径方向に延びている。
第２板状部１７３は、第１板状部１７２の他端から第１板状部１７２に対して略垂直に締め込み方向Ａ側に延びるように配置される。
このように形成されることにより、Ｌ字板部１７１のＬ字形状の曲がっている部分は、リング固定ボルト１４の締め込み方向Ａとは反対方向（緩め方向Ｂ）側に突出している。
【００２６】
頭部１５は、中空の円筒状に形成される。
頭部１５は、軸部材１６の他方の端部１６ｂ側において、軸部材１６の他方の端部１６ｂ及び抵抗板部１７を覆うように配置されている。頭部１５は、軸部材１６に対して相対回転可能に、軸部材１６に連結されている。
【００２７】
頭部１５は、筒体１５１と、第１蓋部１５２と、第２蓋部１５３とを備える。
筒体１５１は、軸部材１６の軸線を軸中心とする円筒状に形成され、軸部材１６の軸方向において所定長さを有する。筒体１５１の外周面には、回転方向に直交する方向に延びる複数の溝が形成されている。
【００２８】
第１蓋部１５２及び第２蓋部１５３は、円板状に形成される。
第１蓋部１５２は、筒体１５１における軸部材１６の他方の端部１６ｂ側の開口を塞ぐように配置される。
第２蓋部１５３は、筒体１５１の第１蓋部１５２が配置される開口とは反対側の開口を塞ぐように配置される。第２蓋部１５３には、中央部に連結穴部１５３ａが形成されている。軸部材１６は、第２蓋部１５３の連結穴部１５３ａを貫通して延び、頭部１５は、軸部材１６に対して相対回転可能となっている。
【００２９】
粘性体１８は、頭部１５の内部に充填されている。粘性体１８は、頭部１５を回転させた場合に、抵抗板部１７との間に抵抗力を生じさせる粘度を有している。粘性体１８は、例えば、粘性を有するグリス等により構成される。
【００３０】
なお、抵抗板部１７と粘性体１８との間の抵抗力の大きさは、抵抗板部１７の形状（大きさ、取り付け角度、Ｌ字形状の角度等）及び粘性体１８の粘度（粘性体の種類等）により適宜設定される。具体的には、抵抗板部１７の形状及び粘性体１８の粘度は、リング固定ボルト１４の締め込み時において、リング固定ボルト１４を締め込むことが可能であるとともに、リング固定ボルト１４の締め込みすぎを抑制することが可能な抵抗力となるように設定される。更に、抵抗板部１７の形状及び粘性体１８の粘度は、リング固定ボルト１４の緩め時において、リング固定ボルト１４を緩めることが可能である抵抗力となるように設定される。
【００３１】
次に、リング固定ボルト１４を締め込む動作及びリング固定ボルト１４を緩める動作について説明する。図６は、リング固定ボルト１４の締め込み時及び緩め時における作用を説明する図であって、（ａ）はリング固定ボルト１４の締め込み時における抵抗板部１７及び粘性体１８による抵抗力を説明する図であり、（ｂ）はリング固定ボルト１４の緩め時における抵抗板部１７及び粘性体１８による抵抗力を説明する図である。
【００３２】
まず、リング固定ボルト１４を締め込む動作について説明する。
ユーザは、レンズ保持部材１０にレンズ鏡筒２を保持させる場合に、リング固定ボルト１４を外した状態で、リング状支持部１１を開状態にする。
そして、レンズ鏡筒２を、レンズ保持部材１０のリング状支持部１１及び円弧状支持部１３に支持させる。その後、リング状支持部１１の第２円弧部分１１６を、連結支軸部１１１を中心に回動して、閉状態とする。
【００３３】
リング状支持部１１の閉位置において、第１円弧部分１１５のねじ穴（不図示）と第２円弧部分１１６の貫通穴部１１２とは重なるように位置している。ユーザは、第２円弧部分１１６の貫通穴部１１２側から、リング固定ボルト１４の軸部材１６を、第１円弧部分１１５のねじ穴（不図示）及び第２円弧部分１１６の貫通穴部１１２に挿入する。
そして、ユーザは、頭部１５を手で締め込み方向Ａに回転させて、リング固定ボルト１４の軸部材１６のねじ部１６１の雄ねじを、第１円弧部分１１５のねじ穴（不図示）の雌ねじに締め込んでいく。
【００３４】
頭部１５が締め込み方向Ａに回転されると、粘性体１８には、リング固定ボルト１４の回転方向（締め込み方向）Ａへの流れが生じる。そして、粘性体１８は、抵抗板部１７のＬ字形状に突出している側にぶつかる。これにより、抵抗板部１７は押されて回転され、抵抗板部１７に接続された軸部材１６は締め込み方向Ａに回転されて締め込まれていく。
【００３５】
リング固定ボルト１４のリング状支持部１１への締め込みが完了した状態において、頭部１５が更に回転された場合、頭部１５は、軸部材１６に対して相対回転して空回りする。
【００３６】
特に、Ｌ字板部１７１においてＬ字形状に曲がっている部分の凸側は、リング固定ボルト１４の締め込み方向Ａとは反対方向側に突出している。そのため、Ｌ字板部１７１の回転が止まったとき、粘性体１８は、第２板状部１７３に沿って流れる。これにより、軸部材１６に、所定以上の力が作用することが抑制される。
その結果、リング固定ボルト１４の締め込みすぎを抑制することができ、リング固定ボルト１４が締め込まれるレンズ保持部材１０のねじ穴（不図示）の破損を防止することができる。
【００３７】
次に、リング固定ボルト１４を緩める動作について説明する。
ユーザは、リング固定ボルト１４がリング状支持部１１に締め込まれた状態において、リング固定ボルト１４の頭部１５を緩める方向Ｂへ回転させる。
【００３８】
リング固定ボルト１４の緩め時において、図６（ｂ）に示すように、ユーザが頭部１５を緩め方向Ｂへ回転させると、粘性体１８には、緩め方向Ｂへの流れが生じる。ここで、Ｌ字板部１７１においてＬ字形状に曲がっている部分の凹側は、粘性体１８の流れと衝突する。
そのため、Ｌ字板部１７１は粘性体１８の流れによる押される力を受けやすく、締め込み時よりも粘性体８と抵抗板部１７との間の抵抗力が大きくなる。その結果、リング固定ボルト１４を容易に緩めることができる。
【００３９】
以上、本実施形態によると、以下の効果を有する。
（１）一方の端部１６ａにねじ部１６１を有する軸部材１６と、軸部材１６の他方の端部１６ｂ側を覆うように配置される中空の頭部１５と、頭部１５の内部に配置される板状の抵抗板部１７と、頭部１５の内部に充填されている粘性体１８と、を備える。そのため、リング固定ボルト１４の締め込みが完了した状態において、頭部１５が更に回転された場合、頭部１５は、軸部材１６に対して相対回転して空回りする。これにより、簡易な構成により、リング固定ボルト１４の締め込みすぎを防止することができる。
【００４０】
（２）抵抗板部１７は、Ｌ字形状に形成され、Ｌ字形状に曲がっている部分の凸側がリング固定ボルト１４の締め込み方向とは反対方向側に突出している。そのため、リング固定ボルト１４の締め込み完了時に、粘性体１８は、Ｌ字板部１７１の第２板状部１７３に沿って流れる。また、リング固定ボルト１４の緩め時に、粘性体１８は、Ｌ字板部１７１を押圧する。従って、リング固定ボルト１４の締め込みすぎを抑制することができるとともに、リング固定ボルト１４を容易に緩めることができる。
【００４１】
（３）Ｌ字板部１７１、１７１は、軸部材１６に対して対称に一対設けられている。そのため、軸部材１６を挟んで両側において、Ｌ字板部１７１、１７１と粘性体１８との間に効率よく抵抗力を作用させることができる。これにより、より効果的に、リング固定ボルト１４の締め込みすぎを抑制することができる。
【００４２】
（変形形態）
以上、説明した実施形態に限定されることなく、以下に示すような種々の変形や変更が可能であり、それらも本発明の範囲内である。
【００４３】
（１）前述の実施形態では、抵抗板部１７をＬ字形状としたが、抵抗板部１７の形状は限定されない。例えば、抵抗板部１７は、角のない板状でもよく、また、Ｕ字の板状でもよい。
（２）また、前述の実施形態では、抵抗板部１７をＬ字形状としたが、Ｌ字形状の角度は、９０度には限定されない。例えば、Ｌ字形状の角度を、３０度や１２０度としてもよい。
【００４４】
なお、実施形態及び変形形態は、適宜組み合わせて用いることもできるが、詳細な説明は省略する。また、本発明は以上説明した実施形態によって限定されることはない。
【符号の説明】
【００４５】
２：レンズ鏡筒、１０：レンズ保持部材、１１：リング状支持部、１４：リング固定ボルト、１５：頭部、１６：軸部材、１６ａ：一方の端部、１６ｂ：他方の端部、１７：抵抗板部、１８：粘性体、１６１：ねじ部、Ａ：締め込み方向
【図１】
2013015659.tif 000003
【図２】
2013015659.tif 000004
【図３】
2013015659.tif 000005
【図４】
2013015659.tif 000006
【図５】
2013015659.tif 000007
【図６】
2013015659.tif 000008